(57)【要約】【課題】狭所でのナット締めに際し、ソケットのナット等の嵌挿部に嵌挿したナットが嵌挿状態を確保し、外部への飛出を防止した。【解決手段】一端部１に開口部２を有し、他端部３方向にナット４が嵌挿可能なナット嵌挿部５を設け、ナット嵌挿部５から他端部３にかけてナット嵌挿部５より小径状の貫通孔６を設け、開口部２付近のナット嵌挿部５の内側にナットキャッチスプリング７を嵌込み、ナット嵌挿部５と他端部３間の外周部９にストッパー用リング１１を嵌挿し、ストッパー用リング１１と他端部３間の外周部９に収納部１２と、小径の挿通孔１３を貫通孔６にかけて形成し、ストッパー用リング１１と収納部１２間の外周部９に後方段部１４を形成し、収納部１２と他端部３間の外周部９に前方段部１５を形成する外側カラーａと、外側カラーａの貫通孔６に貫通し、外周部９に小径の挿通孔１３と合致する凹部１７を形成した。【選択図】       図２
0003128986.tif 000002
【実用新案登録請求の範囲】
【請求項１】
一端部１に開口部２を有し、且他端部３方向に所定の長さの各種ナット４等が嵌挿可能なナット嵌挿部５を設け、前記ナット嵌挿部５から他端部３にかけて前記ナット嵌挿部５の径より小径状の貫通孔６を設け、前記開口部２付近のナット嵌挿部５の内側にナットキャッチスプリング７を嵌込み、前記ナット嵌挿部５と前記他端部３との間の外周部９にストッパー用リング１１を嵌挿せしめ、前記ストッパー用リング１１と他端部３との間の外周部９に所定深さの収納部１２と、前記収納部１２の径より小径の挿通孔１３を前記貫通孔６にかけて形成し、前記ストッパー用リング１１と前記収納部１２との間の外周部９に後方段部１４を形成し、前記収納部１２と前記他端部３との間の外周部９に前方段部１５を形成する外側カラーａと、前記外側カラーａの貫通孔６に貫通し、且外周部９に前記外側カラーａを構成する小径の挿通孔１３と合致する凹部１７を形成し、一端部１より他端部３にかけての内側部に所定の径の大径貫通孔１８と小径貫通孔１９とを連接状態に形成の内側カラーｂと、前記内側カラーｂの大径貫通孔１８と前記小径貫通孔１９に夫々貫通するシャンク２１付駆動部２０と、前記駆動部の端部のシャンク２１と反対の端部に前記外側カラーａの前記ナット嵌挿部５に嵌挿する頭部２２とを一体にしたソケット駆動体ｃを形成し、前記内側カラーｂのナット嵌挿部５に前記頭部２２を嵌挿し、且前記内側カラーｂの大径貫通孔１８及び小径貫通孔１９に前記ソケット駆動体ｃを貫通せしめると共に、前記外側カラーａの外周部９に形成した所定深さの収納部１２にスプリング２３を嵌挿し、前記スプリング２３に頭部２５付ピン２４を挿入し、挿入せしめた前記頭部２５付ピン２４の先端部が内側カラーｂの外周部９に設けた凹部１７に挿入可能とし、一端部１に前記ストッパー用リング１１によって係止される係止部２６を設け、前記係止部２６が前記ストッパー用リング１１によって係止されている時に前記頭部２５付ピン２４を押圧する押圧部２７を有する中空状外側リング体ｄを前記外側カラーａに嵌挿し、前記外側リング体ｄの押圧部２７と前記外側カラーａの前方段部１５との間の空隙部２８内にスプリング２３を挿入せしめることを特徴とするレンチ用ソケット工具。
【請求項２】
前記内側カラーｂのナット嵌挿部５を、嵌挿せしめたナット４等の角部を前記ナットキャッチスプリング７によって係止せしめることを特徴とする請求項１記載のレンチ用ソケット工具。
【請求項３】
前記ソケット駆動体ｃの頭部２２を、前記ナット嵌挿部５の内側の形状と同形状とすることを特徴とする請求項１又は同２記載のレンチ用ソケット工具。
【請求項４】
前記外側リング体ｄを、前記外側カラーａの他端部３方向にスライドすると、前記内側カラーｂと前記ソケット駆動体ｃは移動することなく、前記外側カラーａと前記外側リング体ｄとが一体となってスライドすることを特徴とする請求項１又は同２又は同３記載のレンチ用ソケット工具。
【請求項５】
一端部１に開口部２を有し、且他端部３方向に所定の長さの各種ナット４等が嵌挿可能なナット嵌挿部５を設け、前記ナット嵌挿部５から他端部３にかけて前記ナット嵌挿部５の径より小径状の貫通孔６を設け、前記開口部２付近のナット嵌挿部５の内側にナットキャッチスプリング７を嵌込み、前記ナット嵌挿部５と前記他端部３との間の外周部９にストッパー用リング１１を嵌挿せしめ、前記ストッパー用リング１１と他端部３との間の外周部９に所定深さの収納部１２と、前記収納部１２の径より小径の挿通孔１３を前記貫通孔６にかけて形成し、前記ストッパー用リング１１と前記収納部１２との間の外周部９に後方段部１４を形成し、前記収納部１２と前記他端部３との間の外周部９に前方段部１５を形成し、前記収納部１２と前記他端部３との間の前記小径状の貫通孔６よりも拡径せしめた拡径貫通孔６ａを形成する外側カラーａと、前記外側カラーａの貫通孔６に貫通し、且外周部９に前記外側カラーａを構成する小径の挿通孔１３と合致する凹部１７を形成し、一端部１より他端部３にかけての内側部に所定の径の大径貫通孔１８と小径貫通孔１９とを連接状態に形成の内側カラーｂと、前記内側カラーｂの大径貫通孔１８と前記小径貫通孔１９に夫々貫通するシャンク２１付駆動部２０と、前記駆動部の端部のシャンク２１と反対の端部に前記外側カラーａの前記ナット嵌挿部５に嵌挿する頭部２２とを一体にしたソケット駆動体ｃを形成し、前記内側カラーｂのナット嵌挿部５に前記頭部２２を嵌挿し、且前記内側カラーｂの大径貫通孔１８及び小径貫通孔１９に前記ソケット駆動体ｃを貫通せしめると共に、前記外側カラーａの外周部９に形成した所定深さの収納部１２にスプリング２３を嵌挿し、前記スプリング２３に頭部２５付ピン２４を挿入し、挿入せしめた前記頭部２５付ピン２４の先端部が内側カラーｂの外周部９に設けた凹部１７に挿入可能とし、一端部１に前記ストッパー用リング１１によって係止される係止部２６を設け、前記係止部２６が前記ストッパー用リング１１によって係止されている時に前記頭部２５付ピン２４を押圧する押圧部２７を有する中空状外側リング体ｄを前記外側カラーａに嵌挿し、前記外側リング体ｄの押圧部２７と前記外側カラーａの前方段部１５との間の空隙部２８内にスプリング２９を挿入せしめ、前記外側カラーａの収納部１２と他端部３との間に形成の拡径貫通孔６ａに内側カラーｂに捲廻のスプリング２９ａを嵌挿し、前記スプリング２９ａを前記内側カラーｂの外周部９に嵌着のリングカバー１１ａによって飛出を阻止せしめることを特徴とするレンチ用ソケット工具。
【請求項６】
前記内側カラーｂのナット嵌挿部５を、嵌挿せしめたナット４等の角部を前記ナットキャッチスプリング７によって係止せしめることを特徴とする請求項５記載のレンチ用ソケット工具。
【請求項７】
前記ソケット駆動体ｃの頭部２２を、前記ナット嵌挿部５の内側の形状と同形状とすることを特徴とする請求項５又は同６記載のレンチ用ソケット工具。
【請求項８】
前記外側リング体ｄを、前記外側カラーａの他端部３方向にスライドすると、前記内側カラーｂと前記ソケット駆動体ｃは移動することなく、前記外側カラーａと前記外側リング体ｄとが一体となってスライドすることを特徴とする請求項５又は同６又は同７記載のレンチ用ソケット工具。
【請求項９】
一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、且前記ナット嵌挿部５と前記他端部３との間に、前記ナット嵌挿部５の径より小径状の貫通孔６を設け、前記一端部１と他端部３間の所定部位の外周部９に突出状のカバー止め部１１ａを設け、前記他端部３の外周部９に突出状の係止部１４ａを形成せしめる外側カラーａと、前記外側外側カラーａの小径状の貫通孔６ａと同形状の貫通孔６ａを有する支持壁部３３と、前記支持壁部３３を前方に延設して前記貫通孔６ａよりも若干拡径のスプリング３６を嵌挿せしめる拡径嵌挿部３４を設け、前記拡径嵌挿部３４の前方部に開口状の開口部３５を形成せしめる内側カバーｅと、前記外側カラーｂの前記貫通孔６と、前記カバーｅの貫通孔６ａとに貫通可能な外周部９を有し、且一端部１と他端部３とにかけて内側部に大径状の貫通孔１８と小径状の貫通孔１９とを接続せしめて形成し、前記外周部９の所定個所に凹部１７ａを設けた内側カラーｂと、一端部１に前記外側カラーａのナット嵌挿部５に嵌挿可能な頭部２２と前記内側カラーｂの貫通孔１８、１９に挿入可能なシャンク２１付駆動部２０ａとを一体に形成するソケット駆動体ｃと、前記内側カラーｂの凹部１７ａに嵌挿可能な球体２５ａと、一端部１に前記外側カラーｂの係止部１４ａに係止する内側方に突設する係止部２６ａを有し、且他端部３は開口部２６ｂを有し、前記係止部２６ａと前記開口部２６ｂとの間にスプリング２９ａを嵌挿する嵌挿部２８ａを有する外側リング体ｄとを形成し、前記内側カラーｂに前記ソケット駆動体ｃを構成するソケット駆動部２０ａの頭部２２を前記外側カラーｂの嵌挿部５に嵌挿せしめ、且外側カラーａのカバー止め部１１ａと係止部１４ａとにスプリング２９ａを捲廻状態にして嵌挿し、前記外側カラーａの他端部３より前方部に所定の間隔を設けて内側カバーｅを前記内側カラーｂに嵌挿し、且前記内側カバーｅの拡径嵌挿部３４にスプリング２９ｂを前記内側カラーｂに捲廻状態にして嵌挿し、前記外側カラーｂと内側カラーｂとの間に球体２５ａを介在させ、前記球体２５ａの一部が前記内側カラーｂの凹部１７ａに嵌挿し、且前記内側カバーｅの拡径嵌挿部３４に嵌挿したスプリング２９ｂの飛出を阻止し、且外周が前記拡径嵌挿部３４の径より若干小さい抜止め部３６を前記内側カラーｂに取得し、前記外側リング体ｄの係止部２６ａが前記外側カラーａの係止部１１ａに係止し、且前記球体２５ａの飛出を阻止せしめるようにして外側リング体ｄを前記外側カラーａと前記内側カバーｅにかけて嵌挿せしめることを特徴とするレンチ用ソケット工具。
【請求項１０】
前記内側カラーａのナット嵌挿部５を、嵌挿せしめたナット４等の角部を前記ナットキャッチスプリング７によって係止せしめることを特徴とする請求項９記載のレンチ用ソケット工具。
【請求項１１】
前記ソケット駆動体ｃの頭部２２を、前記ナット嵌挿部５の内側の形状と同形状とすることを特徴とする請求項９又は同１０記載のレンチ用ソケット工具。
【請求項１２】
前記外側リング体は、前記内側カバーｅの方向にスライドすると、前記内側カラーｂと前記ソケット駆動体ｃは移動することなく、前記外側カラーａと前記外側リング体ｄと内側カバーｅとが一体となってスライドすることを特徴とする請求項９又は同１０又は同１１記載のレンチ用ソケット工具。
【請求項１３】
一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた外側カラーａと、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた内側カラーｂと、一端部１に前記ナット嵌挿部５に嵌挿可能な頭部２２と前記内側カラーｂの貫通孔１８、１９に嵌挿可能なシャンク２１付駆動体２０とを一体に形成するソケット駆動体ｃと、前記頭部２２の所定個所に別設する球体２５ａを押上げるバネ２５ｃを嵌挿する凹部２５ｄを形成し、前記外側カラーａの所定個所に前記球体２５ａの上方部を常時係止する係止部２５ｅを形成すると共に、前記内側カラーｂの貫通孔１８、１９内に前記ソケット駆動体ｃのシャンク２１付駆動部２０を嵌挿し、前記頭部２２の凹部２５ｄにバネ２５ｃを嵌挿し、且球体２５ａを挿入した状態で、前記外側カラーａの一端部１より前記内側カラーｂを前記内側突出部５ａに前記頭部２２が係止するまで嵌挿せしめ、前記球体２５ａを前記外側カラーａの係止部２５ｅを介して常時押圧し、前記外側カラーａの拡径嵌挿部３４に前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着せしめることを特徴とするレンチ用ソケット工具。
【請求項１４】
前記内側カラーｂのナット嵌挿部５を、嵌挿せしめたナット４等の角部を前記ナットキャッチスプリング７によって係止せしめることを特徴とする請求項１３記載のレンチ用ソケット工具。
【請求項１５】
前記ソケット駆動体ｃの頭部２２を、前記ナット嵌挿部５の内側の形状と同形状とすることを特徴とする請求項１３又は同１４記載のレンチ用ソケット工具。
【請求項１６】
前記外側カラーａは、前記内側カバーの方向にスライドすると、前記内側カラーｂと前記ソケット駆動体ｃは移動することなく、前記外側カラーａだけがスライドすることを特徴とする請求項１３又は同１４又は同１５記載のレンチ用ソケット工具。
【請求項１７】
一端部１に開口部２を有し、且他端部３方向に所定の長さの各種ナット４が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた外側カラーａと、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた内側カラーｂと、一端部１に前記ナット嵌挿部５に嵌挿可能な頭部２２と前記内側カラーｂの貫通孔１８、１９に嵌挿可能なシャンク２１付駆動部２０とを一体に形成するソケット駆動体ｃと、前記内側カラーｂの貫通孔１８、１９内に前記ソケット駆動体ｃのシャンク２１付駆動部２０を嵌挿し、且前記外側カラーａの一端部１より前記内側カラーｂを前記内側突出部５ａに前記頭部２２が係止するまでナット嵌挿部５内に嵌挿せしめると共に、前記外側カラーａの拡径嵌挿部３４に前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着し、前記カラーａの外周部９から前記内側突出部５ａにかけて貫通する貫通孔５ｂを形成し、前記貫通孔５ｂの直下部の前記内側カラーｂに凹部１７ａを形成し、前記貫通孔５ｂに球体２５ａとバネ２５ｃを順次挿入し、前記球体２５ａを押圧状態を確保せしめることを特徴とするレンチ用ソケット工具。
【請求項１８】
前記内側カラーｂのナット嵌挿部５を、嵌挿せしめたナット４等の角部を前記ナットキャッチスプリング７によって係止せしめることを特徴とする請求項１７記載のレンチ用ソケット工具。
【請求項１９】
前記ソケット駆動体ｃの頭部２２を、前記ナット嵌挿部５の内側の形状と同形状とすることを特徴とする請求項１７又は同１８記載のレンチ用ソケット工具。
【請求項２０】
前記外側カラーａを、前記内側カバーの方向にスライドすると、前記内側カラーｂと前記ソケット駆動体ｃは移動することなく、前記外側カラーａだけがスライドすることを特徴とする請求項１７又は同１８又は同１９記載のレンチ用ソケット工具。
【考案の詳細な説明】
【技術分野】
【０００１】
本考案は、レンチ用ソケット工具の技術分野に関するものである。
【背景技術】
【０００２】
従来、インパクトソケットレンチとして、実開平６−３９３６２公開実用新案公報が開示されている。
【０００３】
前記インパクトソケットレンチを構成する差し込みソケット３のナット４を嵌挿する嵌挿部の内側部の開口部２付近には、ナット４をキャッチするスプリング２３は嵌挿されていない。
【０００４】
さらに前記開示の公開実用新案公報のインパクトソケットレンチを構成するレンチ筒１０に嵌挿するボール押さ筒２０が開示されている。
【０００５】
しかし前記ボール押え筒２０を駆動工具結合部１１の方向にスライドさせても、差し込みソケット３のナット４等の嵌挿部に嵌挿されている螺戻中のナット４等を容易に取出すための機構はない。
【０００６】
さらに従来、レンチ用ソケットとして登録第３０３２６０５号登録実用新案公報が開示されている。
【０００７】
前記登録実用新案のレンチ用ソケットを構成するソケット本体に設けた嵌合孔の開口部２付近の内側部には、挿入せしめたナット４が不意に飛出するのを阻止するスプリング２３は嵌込まれていない。
【０００８】
さらに前記登録実用新案のソケット本体の嵌合孔２内に螺戻作業によって嵌挿せしめたナット４或いはボルト３１頭部２２を取出すための飛出機構はない。
【０００９】
また、ソケットレンチとして、特許公開２００６−２８１４２７公開特許公報が開示されている。
【００１０】
前記公開特許公報の発明は、ソケットレンチ１先端に設けられたボルト頭を収容する収容部６の奥側に磁石内蔵マグネットホルダー２が設けられており、前記マグネットホルダーに内蔵されている磁石によってボルト等が吸着される機構となっているが、ステンレス製もしくは真鍮製等の非鉄金属製のナット等は吸着しない。
【特許文献１】実開平６−３９３６２公開実用新案公報
【特許文献２】第３０３２６０５号登録実用新案公報
【特許文献３】特許公開２００６−２８１４２７公開特許公報
【考案の開示】
【考案が解決しようとする課題】
【００１１】
しかるに、本考案は、殊に狭い場所等でのナット締めを行うために、予めソケットのナット４等の嵌挿部に嵌挿したナット４が確実に嵌挿状態を確保し、不意に外部への飛出を防止し、ナット４の締付け作業をスムーズにできるようにした。
【００１２】
さらに本考案は、狭い場所等に取付けられているボルト３１に螺着のナット４を螺戻する作業時に、螺戻せしめられたナット４がソケットのナット嵌挿部５内に確実に嵌挿し、不意に外部への離脱を防止すると共に、嵌挿中のナット４を確実且簡単に外部に放出せしめるようにした。
【００１３】
また、本考案は、前記ナット４が非鉄金属製（ステンレス、真鍮製等）であっても、ナット嵌挿部５内に確実に嵌挿し、不意に外部へは離脱することなく、安全に使用ができる。
【課題を解決するための手段】
【００１４】
本考案の課題を解決するための手段としての請求項１記載の考案は、一端部１に開口部２を有し、且他端部３方向に所定の長さの各種ナット４等が嵌挿可能なナット嵌挿部５を設け、前記ナット嵌挿部５から他端部３にかけて前記ナット嵌挿部５の径より小径状の貫通孔６を設け、前記開口部２付近のナット嵌挿部５の内側にナットキャッチスプリング７を嵌込み、前記ナット嵌挿部５と前記他端部３との間の外周部９にストッパー用リング１１を嵌挿せしめ、前記ストッパー用リング１１と他端部３との間の外周部９に所定深さの収納部１２と、前記収納部１２の径より小径の挿通孔１３を前記貫通孔６にかけて形成し、前記ストッパー用リング１１と前記収納部１２との間の外周部９に後方段部１４を形成し、前記収納部１２と前記他端部３との間の外周部９に前方段部１５を形成する外側カラーａと、前記外側カラーａの貫通孔６に貫通し、且外周部９に前記外側カラーａを構成する小径の挿通孔１３と合致する凹部１７を形成し、一端部１より他端部３にかけての内側部に所定の径の大径貫通孔１８と小径貫通孔１９とを連接状態に形成の内側カラーｂと、前記内側カラーｂの大径貫通孔１８と前記小径貫通孔１９に夫々貫通するシャンク２１付駆動部２０と、前記駆動部の端部のシャンク２１と反対の端部に前記外側カラーａの前記ナット嵌挿部５に嵌挿する頭部２２とを一体にしたソケット駆動体ｃを形成し、前記内側カラーｂのナット嵌挿部５に前記頭部２２を嵌挿し、且前記内側カラーｂの大径貫通孔１８及び小径貫通孔１９に前記ソケット駆動体ｃを貫通せしめると共に、前記外側カラーａの外周部９に形成した所定深さの収納部１２にスプリング２３を嵌挿し、前記スプリング２３に頭部２５付ピン２４を挿入し、挿入せしめた前記頭部２５付ピン２４の先端部が内側カラーｂの外周部９に設けた凹部１７に挿入可能とし、一端部１に前記ストッパー用リング１１によって係止される係止部２６を設け、前記係止部２６が前記ストッパー用リング１１によって係止されている時に前記頭部２５付ピン２４を押圧する押圧部２７を有する中空状外側リング体ｄを前記外側カラーａに嵌挿し、前記外側リング体ｄの押圧部２７と前記外側カラーａの前方段部１５との間の空隙部２８内にスプリング２３を挿入せしめることを特徴とするレンチ用ソケット工具である。
【００１５】
さらに本考案の請求項２記載の考案は、前記内側カラーｂのナット嵌挿部５を、嵌挿せしめたナット４等の角部を前記ナットキャッチスプリング７によって係止せしめることを特徴とする請求項１記載のレンチ用ソケット工具である。
【００１６】
また本考案の請求項３記載の考案は、前記ソケット駆動体ｃの頭部２２を、前記ナット嵌挿部５の内側の形状と同形状とすることを特徴とする請求項１又は同２記載のレンチ用ソケット工具である。
【００１７】
さらに本考案の請求項４記載の考案は、前記外側リング体ｄを、前記外側カラーａの他端部３方向にスライドすると、前記内側カラーｂと前記ソケット駆動体ｃは移動することなく、前記外側カラーａと前記外側リング体ｄとが一体となってスライドすることを特徴とする請求項１又は同２又は同３記載のレンチ用ソケット工具である。
【００１８】
また本考案の請求項５記載の考案は、一端部１に開口部２を有し、且他端部３方向に所定の長さの各種ナット４等が嵌挿可能なナット嵌挿部５を設け、前記ナット嵌挿部５から他端部３にかけて前記ナット嵌挿部５の径より小径状の貫通孔６を設け、前記開口部２付近のナット嵌挿部５の内側にナットキャッチスプリング７を嵌込み、前記ナット嵌挿部５と前記他端部３との間の外周部９にストッパー用リング１１を嵌挿せしめ、前記ストッパー用リング１１と他端部３との間の外周部９に所定深さの収納部１２と、前記収納部１２の径より小径の挿通孔１３を前記貫通孔６にかけて形成し、前記ストッパー用リング１１と前記収納部１２との間の外周部９に後方段部１４を形成し、前記収納部１２と前記他端部３との間の外周部９に前方段部１５を形成し、前記収納部１２と前記他端部３との間の前記小径状の貫通孔６よりも拡径せしめた拡径貫通孔６ａを形成する外側カラーａと、前記外側カラーａの貫通孔６に貫通し、且外周部９に前記外側カラーａを構成する小径の挿通孔１３と合致する凹部１７を形成し、一端部１より他端部３にかけての内側部に所定の径の大径貫通孔１８と小径貫通孔１９とを連接状態に形成の内側カラーｂと、前記内側カラーｂの大径貫通孔１８と前記小径貫通孔１９に夫々貫通するシャンク２１付駆動部２０と、前記駆動部の端部のシャンク２１と反対の端部に前記外側カラーａの前記ナット嵌挿部５に嵌挿する頭部２２とを一体にしたソケット駆動体ｃを形成し、前記内側カラーｂのナット嵌挿部５に前記頭部２２を嵌挿し、且前記内側カラーｂの大径貫通孔１８及び小径貫通孔１９に前記ソケット駆動体ｃを貫通せしめると共に、前記外側カラーａの外周部９に形成した所定深さの収納部１２にスプリング２３を嵌挿し、前記スプリング２３に頭部２５付ピン２４を挿入し、挿入せしめた前記頭部２５付ピン２４の先端部が内側カラーｂの外周部９に設けた凹部１７に挿入可能とし、一端部１に前記ストッパー用リング１１によって係止される係止部２６を設け、前記係止部２６が前記ストッパー用リング１１によって係止されている時に前記頭部２５付ピン２４を押圧する押圧部２７を有する中空状外側リング体ｄを前記外側カラーａに嵌挿し、前記外側リング体ｄの押圧部２７と前記外側カラーａの前方段部１５との間の空隙部２８内にスプリング２９を挿入せしめ、前記外側カラーａの収納部１２と他端部３との間に形成の拡径貫通孔６ａに内側カラーｂに捲廻のスプリング２９ａを嵌挿し、前記スプリング２９ａを前記内側カラーｂの外周部９に嵌着のリングカバー１１ａによって飛出を阻止せしめることを特徴とするレンチ用ソケット工具である。
【００１９】
さらに本考案の請求項６記載の考案は、前記内側カラーｂのナット嵌挿部５を、嵌挿せしめたナット４等の角部を前記ナットキャッチスプリング７によって係止せしめることを特徴とする請求項５記載のレンチ用ソケット工具である。
【００２０】
また本考案の請求項７記載の考案は、前記ソケット駆動体ｃの頭部２２を、前記ナット嵌挿部５の内側の形状と同形状とすることを特徴とする請求項５又は同６記載のレンチ用ソケット工具である。
【００２１】
さらに本考案の請求項８記載の考案は、前記外側リング体ｄを、前記外側カラーａの他端部３方向にスライドすると、前記内側カラーｂと前記ソケット駆動体ｃは移動することなく、前記外側カラーａと前記外側リング体ｄとが一体となってスライドすることを特徴とする請求項５又は同６又は同７記載のレンチ用ソケット工具である。
【００２２】
また本考案の請求項９記載の考案は、一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、且前記ナット嵌挿部５と前記他端部３との間に、前記ナット嵌挿部５の径より小径状の貫通孔６を設け、前記一端部１と他端部３間の所定部位の外周部９に突出状のカバー止め部１１ａを設け、前記他端部３の外周部９に突出状の係止部１４ａを形成せしめる外側カラーａと、前記外側外側カラーａの小径状の貫通孔６ａと同形状の貫通孔６ａを有する支持壁部３３と、前記支持壁部３３を前方に延設して前記貫通孔６ａよりも若干拡径のスプリング３６を嵌挿せしめる拡径嵌挿部３４を設け、前記拡径嵌挿部３４の前方部に開口状の開口部３５を形成せしめる内側カバーｅと、前記外側カラーｂの前記貫通孔６と、前記カバーｅの貫通孔６ａとに貫通可能な外周部９を有し、且一端部１と他端部３とにかけて内側部に大径状の貫通孔１８と小径状の貫通孔１９とを接続せしめて形成し、前記外周部９の所定個所に凹部１７ａを設けた内側カラーｂと、一端部１に前記外側カラーａのナット嵌挿部５に嵌挿可能な頭部２２と前記内側カラーｂの貫通孔１８、１９に挿入可能なシャンク２１付駆動部２０ａとを一体に形成するソケット駆動体ｃと、前記内側カラーｂの凹部１７ａに嵌挿可能な球体２５ａと、一端部１に前記外側カラーｂの係止部１４ａに係止する内側方に突設する係止部２６ａを有し、且他端部３は開口部２６ｂを有し、前記係止部２６ａと前記開口部２６ｂとの間にスプリング２９ａを嵌挿する嵌挿部２８ａを有する外側リング体ｄとを形成し、前記内側カラーｂに前記ソケット駆動体ｃを構成するソケット駆動部２０ａの頭部２２を前記外側カラーｂの嵌挿部５に嵌挿せしめ、且外側カラーａのカバー止め部１１ａと係止部１４ａとにスプリング２９ａを捲廻状態にして嵌挿し、前記外側カラーａの他端部３より前方部に所定の間隔を設けて内側カバーｅを前記内側カラーｂに嵌挿し、且前記内側カバーｅの拡径嵌挿部３４にスプリング２９ｂを前記内側カラーｂに捲廻状態にして嵌挿し、前記外側カラーｂと内側カラーｂとの間に球体２５ａを介在させ、前記球体２５ａの一部が前記内側カラーｂの凹部１７ａに嵌挿し、且前記内側カバーｅの拡径嵌挿部３４に嵌挿したスプリング２９ｂの飛出を阻止し、且外周が前記拡径嵌挿部３４の径より若干小さい抜止め部３６を前記内側カラーｂに取得し、前記外側リング体ｄの係止部２６ａが前記外側カラーａの係止部１１ａに係止し、且前記球体２５ａの飛出を阻止せしめるようにして外側リング体ｄを前記外側カラーａと前記内側カバーｅにかけて嵌挿せしめることを特徴とするレンチ用ソケット工具である。
【００２３】
さらに本考案の請求項１０記載の考案は、前記内側カラーａのナット嵌挿部５を、嵌挿せしめたナット４等の角部を前記ナットキャッチスプリング７によって係止せしめることを特徴とする請求項９記載のレンチ用ソケット工具である。
【００２４】
また本考案の請求項１１記載の考案は、前記ソケット駆動体ｃの頭部２２を、前記ナット嵌挿部５の内側の形状と同形状とすることを特徴とする請求項９又は同１０記載のレンチ用ソケット工具である。
【００２５】
さらに本考案の請求項１２記載の考案は、前記外側リング体は、前記内側カバーｅの方向にスライドすると、前記内側カラーｂと前記ソケット駆動体ｃは移動することなく、前記外側カラーａと前記外側リング体ｄと内側カバーｅとが一体となってスライドすることを特徴とする請求項９又は同１０又は同１１記載のレンチ用ソケット工具である。
【００２６】
また本考案の請求項１３記載の考案は、一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた外側カラーａと、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた内側カラーｂと、一端部１に前記ナット嵌挿部５に嵌挿可能な頭部２２と前記内側カラーｂの貫通孔１８、１９に嵌挿可能なシャンク２１付駆動体２０とを一体に形成するソケット駆動体ｃと、前記頭部２２の所定個所に別設する球体２５ａを押上げるバネ２５ｃを嵌挿する凹部２５ｄを形成し、前記外側カラーａの所定個所に前記球体２５ａの上方部を常時係止する係止部２５ｅを形成すると共に、前記内側カラーｂの貫通孔１８、１９内に前記ソケット駆動体ｃのシャンク２１付駆動部２０を嵌挿し、前記頭部２２の凹部２５ｄにバネ２５ｃを嵌挿し、且球体２５ａを挿入した状態で、前記外側カラーａの一端部１より前記内側カラーｂを前記内側突出部５ａに前記頭部２２が係止するまで嵌挿せしめ、前記球体２５ａを前記外側カラーａの係止部２５ｅを介して常時押圧し、前記外側カラーａの拡径嵌挿部３４に前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着せしめることを特徴とするレンチ用ソケット工具である。
【００２７】
さらに本考案の請求項１４記載の考案は、前記内側カラーｂのナット嵌挿部５を、嵌挿せしめたナット４等の角部を前記ナットキャッチスプリング７によって係止せしめることを特徴とする請求項１３記載のレンチ用ソケット工具である。
【００２８】
また本考案の請求項１５記載の考案は、前記ソケット駆動体ｃの頭部２２を、前記ナット嵌挿部５の内側の形状と同形状とすることを特徴とする請求項１３又は同１４記載のレンチ用ソケット工具である。
【００２９】
さらに本考案の請求項１６記載の考案は、前記外側カラーａは、前記内側カバーの方向にスライドすると、前記内側カラーｂと前記ソケット駆動体ｃは移動することなく、前記外側カラーａだけがスライドすることを特徴とする請求項１３又は同１４又は同１５記載のレンチ用ソケット工具である。
【００３０】
また本考案の請求項１７記載の考案は、一端部１に開口部２を有し、且他端部３方向に所定の長さの各種ナット４が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた外側カラーａと、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた内側カラーｂと、一端部１に前記ナット嵌挿部５に嵌挿可能な頭部２２と前記内側カラーｂの貫通孔１８、１９に嵌挿可能なシャンク２１付駆動部２０とを一体に形成するソケット駆動体ｃと、前記内側カラーｂの貫通孔１８、１９内に前記ソケット駆動体ｃのシャンク２１付駆動部２０を嵌挿し、且前記外側カラーａの一端部１より前記内側カラーｂを前記内側突出部５ａに前記頭部２２が係止するまでナット嵌挿部５内に嵌挿せしめると共に、前記外側カラーａの拡径嵌挿部３４に前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着し、前記カラーａの外周部９から前記内側突出部５ａにかけて貫通する貫通孔５ｂを形成し、前記貫通孔５ｂの直下部の前記内側カラーｂに凹部１７ａを形成し、前記貫通孔５ｂに球体２５ａとバネ２５ｃを順次挿入し、前記球体２５ａを押圧状態を確保せしめることを特徴とするレンチ用ソケット工具である。
【００３１】
さらに本考案の請求項１８記載の考案は、前記内側カラーｂのナット嵌挿部５を、嵌挿せしめたナット４等の角部を前記ナットキャッチスプリング７によって係止せしめることを特徴とする請求項１７記載のレンチ用ソケット工具である。
【００３２】
また本考案の請求項１９記載の考案は、前記ソケット駆動体ｃの頭部２２を、前記ナット嵌挿部５の内側の形状と同形状とすることを特徴とする請求項１７又は同１８記載のレンチ用ソケット工具である。
【００３３】
さらに本考案の請求項２０記載の考案は、前記外側カラーａを、前記内側カバーの方向にスライドすると、前記内側カラーｂと前記ソケット駆動体ｃは移動することなく、前記外側カラーａだけがスライドすることを特徴とする請求項１７又は同１８又は同１９記載のレンチ用ソケット工具である。
【考案の効果】
【００３４】
本考案のレンチ用ソケット工具の請求項１記載の考案は、一端部に開口部を有し、且他端部方向に所定の長さの各種ナット等が嵌挿可能なナット嵌挿部を設け、前記ナット嵌挿部から他端部にかけて前記ナット嵌挿部の径より小径状の貫通孔を設け、前記開口部付近のナット嵌挿部の内側にナットキャッチスプリングを嵌込み、前記ナット嵌挿部と前記他端部との間の外周部にストッパー用リングを嵌挿せしめ、前記ストッパー用リングと他端部との間の外周部に所定深さの収納部と、前記収納部の径より小径の挿通孔を前記貫通孔にかけて形成し、前記ストッパー用リングと前記収納部との間の外周部に後方段部を形成し、前記収納部と前記他端部との間の外周部に前方段部を形成する外側カラーと、前記外側カラーの貫通孔に貫通し、且外周部に前記外側カラーを構成する小径カラーを構成する小径の挿通孔と合致する凹部を形成し、一端部より他端部にかけての内側部に所定の径の大径貫通孔と小径貫通孔とを連接状態に形成の内側カラーと、前記内側カラーの大径貫通孔と前記小径貫通孔に夫々貫通するシャンク付駆動部と、前記駆動部端部のシャンクと反対の端部に前記外側カラーの前記ナット嵌挿部に嵌挿する頭部とを一体にしたソケット駆動体を形成し、前記内側カラーのナット嵌挿部に前記ソケット駆動体の頭部を嵌挿し、且前記内側カラーの貫通孔に前記シャンク付駆動体を貫通せしめると共に、前記外側カラーの外周部に形成した所定長さの収納部にスプリングを嵌挿し、前記スプリングに頭部付ピンを挿入し、挿入せしめた前記頭部付ピンの先端部が内側カラーの外周部に設けた凹部に挿入可能とし、一端部に前記ストッパー用リングによって係止される係止部を設け、前記係止部が前記ストッパー用リングによって係止されている時に前記頭部付ピンを押圧する押圧部を有する中空状外側リング体を前記外側カラーに嵌挿し、前記外側リング体の押圧部と前記外側カラーの前方段部との間の空隙部内にスプリングを挿入せしめるレンチ用ソケット工具なので、嵌挿部に嵌挿したナットが前記ナットキャッチスプリングによってナットの頭部と外側面部との角部が係止される。
【００３５】
そのため一旦嵌挿せしめたナット等が不意に外側部に放出したりしないので、確実に作業ができる利点を有している。
【００３６】
さらに本考案は、外側リング体を嵌挿部に嵌挿中のナットと反対方向にスライドさせると、外側カラーも比例して同じ方向にスライドし、嵌挿中のナットが固定状態のソケット駆動体の頭部によって押出され、ナットキャッチスプリングによって係止されている前記ナットが押出されるので、前記嵌挿部に嵌挿中のナットを極めてスムーズに外部に放出できる利点を有している。
【００３７】
また本考案は、前記外側カラーの開口部に設けた各種ナット等が嵌挿可能なナット嵌挿部内にマグネットを嵌込むことなく、ナットキャッチスプリングによって、嵌挿した前記各種ナット等を引掛け係止させるので、前記ナット等を確実に嵌挿し、不意に外側方に飛出させない利点を有している。
【００３８】
さらに本考案の請求項２記載の考案は、前記内側カラーのナット嵌挿部が、嵌挿中のナットの角部を前記ナットキャッチスプリングによって係止するレンチ用ソケット工具なので、請求項１記載の考案と同じ効果を有している。
【００３９】
また本考案の請求項３記載の考案は、前記ソケット駆動体の頭部が、前記ナット嵌挿部の内側の形状と同形状とするレンチ用ソケット工具なので請求項１又は同２記載の考案と同じ効果を有している。
【００４０】
さらに本考案の請求項４記載の考案は、前記外側リング体が、前記外側カラーの他端部方向にスライドすると、前記内側カラーと前記ソケット駆動体は移動することなく、前記外側カラーと前記外側リング体とが一体となってスライドするレンチ用ソケット工具なので、嵌挿中のナットを外側部に確実に押出すことができる利点を有している。
【００４１】
また本考案は前記請求項１又は同２又は同３記載の考案と同じ効果を有している。
【００４２】
本考案の請求項５〜８記載の考案は、前記請求項１〜４記載の考案と同様に、外側カラーの嵌挿部に嵌挿せしめたナット等が、前記ナットキャッチスプリングによってナット等の頭部と外側面部との角部が確実に係止され、一旦嵌挿せしめたナット等が不意に外側方に放出したりしない利点を有している。
【００４３】
さらに請求項５〜８に記載の考案は、前記外側リング体をスライドさせることによって、嵌挿部のナット等を確実に外部に押出し、押出し作業をスムーズにせしめた利点を有している。
【００４４】
また本考案の請求項９〜１２記載の考案は、前記請求項１〜８記載の考案の効果と同様に、外側カラーの嵌挿部に嵌挿せしめたナット等が、前記ナットキャッチスプリングによってナット等の頭部と外側面部との角部が確実に係止され、一旦嵌挿せしめたナット等が不意に外側方に放出したりしない利点を有している。
【００４５】
さらに請求項９〜１２に記載の考案は、前記外側リング体をスライドさせることによって、嵌挿部のナット等を確実に外部に押出し、押出し作業をスムーズにせしめた利点を有している。
【００４６】
また本考案の請求項１３〜１６記載の考案は、前記請求項１〜１２記載の考案の効果と同様に、外側カラーの嵌挿部に嵌挿せしめたナット等が、前記ナットキャッチスプリングによってナット等の頭部と外側面部との角部が確実に係止され、一旦嵌挿せしめたナット等が不意に外側方に放出したりしない利点を有している。
【００４７】
さらに請求項１３〜１６に記載の考案は、前記外側カラーをスライドさせることによって、嵌挿部のナット等を確実に外部に押出し、押出し作業をスムーズにせしめた利点を有している。
【００４８】
請求項１７〜２０記載の考案は、内側カラーに形成した凹部に球体を嵌挿せしめ、前記球体がバネによって押圧されているので、嵌挿部に嵌挿しているナット等は、前記ナットキャッチスプリングによって、ナット等の頭部と外側面部の角部が確実に係止され、一旦嵌挿せしめたナット等が不意に外側方に放出したりしない利点を有している。
【００４９】
さらに請求項１７〜２０記載の考案は、前記外側カラーをスライドさせることによって、嵌挿部に嵌挿中のナット等を確実に外部に押出し、押出し作業をスムーズにせしめる利点を有している。
【考案を実施するための最良の形態】
【００５０】
本考案の請求項１〜４記載の考案に関する実施の形態は、共通しているので以下のとおり一括して説明する。
【００５１】
図においてＡは本考案レンチ用ソケット工具である。以下該工具Ａの具体的構成を説明する。
【００５２】
ａは前記レンチ用ソケット工具Ａを構成する外側カラーであり、以下の構成からなる。
【００５３】
前記外側カラーａは、一端部１に開口部２を有し、且他端部３方向に所定の長さの各種形状のナット４が嵌挿可能な形状のナット嵌挿部５を設ける。
【００５４】
６は前記ナット嵌挿部５から他端部３にかけて前記外側カラーａの内部に形成した前記ナット嵌挿部５の径より小径状の貫通孔である。
【００５５】
７は前記開口部２付近のナット嵌挿部５の内側に形成の嵌挿孔８に嵌込んだ吸着性もしくは磁性を有しないナットキャッチスプリングである。そのため非金属製ナットでも対応できる。
【００５６】
さらに前記ナット嵌挿部５と前記他端部３との間の外側カラーａの外周部９に形成した凹部１０を形成し、前記凹部１０にストッパー用リング１１を嵌挿する。
【００５７】
また前記ストッパー用リング１１と他端部３との間の外側カラーａの外周部９に、所定深さの収納部１２と、前記収納部１２の径より小径の挿通孔１３を前記貫通孔６に貫通せしめて形成する。
【００５８】
１４は前記収納部１２と前記ストッパー用リング１１との間の外側カラーａの外周部９に形成した後方段部である。
【００５９】
さらに前記収納部１２と前記他端部３との間の外側カラーａの外周部９には、前方段部１５を形成する。
【００６０】
ｂは前記外側カラーａの貫通孔６に貫通する内側カラーであり、以下の構成からなっている。
【００６１】
即ち、前記内側カラーｂを構成する外周部１６には、前記外側カラーａを構成する小径の挿通孔１３と合致する凹部１７を形成する。
【００６２】
さらに内側カラーｂは、一端部１ａより他端部３ａにかけての内側部に、内側カラーｂの径より小さい所定の径の大径貫通孔１８と、小径貫通孔１９とを連接状態に形成する。
【００６３】
前記内側カラーｂは、前記外側カラーａの貫通孔６に貫通すると共に、前記外側カラーａの挿通孔１３と前記凹部１７とを合致せしめ組立てる。
【００６４】
ｃは前記内側カラーｂの大径貫通孔１８と小径貫通孔１９に貫通するソケット駆動体ｃであり、以下の構成からなっている。
【００６５】
即ち前記内側カラーｂの大径貫通孔１８と小径貫通孔１９に夫々貫通するシャンク２１付駆動部２０と、前記駆動部２０のシャンク２１と反対の端部に、前記ナット嵌挿部５に嵌挿可能な形状の頭部２２とを一体にして形成する。
【００６６】
さらに本考案は、前記外側カラーａの収納部１２には、スプリング２３を嵌挿する。そして前記スプリング２３には、頭部２５付ピン２４を挿入する。
【００６７】
前記のように挿入したピン２４の先端部は、前記内側カラーｂの凹部１７に挿入することを条件とする。
【００６８】
ｄは外側カラーａを嵌挿する中空状外側リング体であり、以下の構成からなる。
【００６９】
即ち、前記中空状外側リング体ｄは、一端部１ｃに前記ストッパー用リング１１によって係止される係止部２６を設ける。
【００７０】
そして前記リング体ｄは、前記係止部２６が前記ストッパー用リング１１によって係止されているとき、前記頭部２５付ピン２４を押圧する押圧部２７を内側部に突設する。
【００７１】
以上の構成が中空状外側リング体ｄの構成である。
【００７２】
さらに本考案は、前記外側リング体ｄの押圧部２７と、前記外側カラーａの前方段部１５との間に設けられた空隙部２８内に、コイルスプリング２９を前記外側カラーａの外側部９に捲廻して介在せしめる。
【００７３】
本考案の第１実施例のレンチ用ソケット工具Ａは、上記の構成部材をもって組立てられる。
【００７４】
そして前記本考案のレンチ用ソケット工具Ａは、前記シャンク２１付駆動部２０に駆動機構に接続せしめ回転させる。
【００７５】
さらに前記本考案のレンチ用ソケット工具Ａは、前記外側カラーａのナット嵌挿部５にナット４を嵌挿すると、ナット４はナットキャッチスプリング７によってナット４の角部が係止されて不意に飛出しない機構となっている。
【００７６】
そのため、前記ナット嵌挿部５に嵌挿しているナット４を取出すには、前記外側リング体ｄをシャンク２１の方向にスライドし、前記スライドと同時に前記コイルスプリング２９が圧縮され、同時に押圧部２７によって押圧されていた頭部２付ピン２４が押圧を解除されて、前記係止部２６と前記押圧部２７との間の間隙部３０内に若干飛出する。
【００７７】
さらに、前記ピン２４は、該ピン２４の先端部が前記内側カラーｂの凹部１７内に挿入している状態から、スプリング２３の作用によって前記ピン２４の頭部２５が押上げられる。そのため前記ピン２４の頭部２５は、前記押圧部２７から離脱し前記間隙部３０内に位置する。そのとき前記外側リング体ｄの係止部２６が後方段部１４に係止され前記外側リング体ｄのスライドがストップする。
【００７８】
前記のように外側リング体ｄがストップすると同時に、前記リング体ｄのスライドに比例して外側カラーａもスライドし、前記外側カラーａのスライドによって、前記ナット嵌挿部５内に嵌挿部のナット４が強制的に外部に押出される。
【００７９】
前記のように、ナット４が押出された後、前記外側リング体ｄのスライドを解除すると、コイルスプリング２９の作用によって、前記リング体ｄが押戻される。そのとき押圧部２７によって頭部２５付ピン２４の頭部２５が押圧され、前記ピン２４の先端部が凹部１７内に挿入する。そして前記係止部２６がストッパー用リング１１に係止する。
【００８０】
さらに本考案のソケット駆動体ｃの頭部２２の形状は、前記ナット嵌挿部５の内側形状と同形状とする。
【００８１】
３１は頭部３２付ボルトである。このボルト３１も前記ナット４と同じく頭部３２をナット嵌挿部５に嵌込み、一旦前記ナット嵌挿部５に嵌挿すると、頭部３２がスプリング７によって係止し不意に飛出したりしない。そして外側方に離脱するための手法は前記ナット４の場合と同じであるので、その説明は省略する。
【００８２】
本考案レンチ用ソケット工具Ａの第２実施例の形態につき説明する。
【００８３】
前記実施例の形態は、前記請求項５〜８記載の考案にして、且図６〜８に図示されている。
【００８４】
さらに前記実施例の具体的形態は、以下のとおりである。
【００８５】
この第２実施例の形態と前記第１実施例の形態の共通する構成部材は、外側カラーａと内側カラーｂとシャンク付駆動体ｃと外側リング体ｄである。
【００８６】
しかし、前記第２実施例のレンチ用ソケット工具Ａが、前記第１実施例のレンチ用ソケット工具Ａと構造的に異なる点は下記のとおりである。
【００８７】
第１の相違点は、外側カラーａを構成の前記収納部１２と前記他端部３との間の前記小径状の貫通孔６よりも拡径せしめた拡径貫通孔６ａを形成せしめたことである。
【００８８】
さらに第２の相違点は、前記外側カラーａの収納部１２と他端部３との間に形成の拡径貫通孔６ａに、内側カラーｂに捲廻のスプリング２９ａを嵌挿し、前記スプリング２９ａを前記内側カラーｂの外周部１６に嵌着のリングカバー１１ａによって飛出を阻止せしめたことである。
【００８９】
前記第２実施例のレンチ用ソケット工具Ａを作動させるには、ナット４を前記嵌挿部５に予め嵌挿させておき、しかる後外側リング体ｄを外側カバーａの他端部方向にスライドさせる。
【００９０】
その際外側リング体ｄの押圧部２７が他端部３方向にスライドすると同時にピン２４が上昇し、同時にスプリング２９、２９ａが圧縮される。
【００９１】
前記のように外側リング体ｄがスライドすると同時に外側カバーａもスライドする。そのとき内側カラーｂとシャンク付駆動体ｃとは、固定状態となっている。
【００９２】
前記嵌挿部５内に嵌挿中のナット４が、前記外側リング体ｄが、外側カバーａ他端部３方向にスライドすることによって、頭部２２によって強制的に外側方に押出され、外側カバーａの外部に飛出させられる。
【００９３】
上記のとおり、ナット４が外部に押出された後、外側リング体ｄのスライドを解除してやると、図８から図７の図示状態に復元する。
【００９４】
さらに前記第２実施例のレンチ用ソケット工具Ａに関する実施の形態は以下のとおりである。
【００９５】
外側カラーａの実施形態は、一端部１に開口部２を有し、且他端部３方向に所定の長さの各種ナット４等が嵌挿可能なナット嵌挿部５を設け、前記ナット嵌挿部５から他端部３にかけて前記ナット嵌挿部５の径より小径状の貫通孔６を設け、前記開口部２付近のナット嵌挿部５の内側にナットキャッチスプリング７を嵌込み、前記ナット嵌挿部５と前記他端部３との間の外周部９にストッパー用リング１１を嵌挿せしめ、前記ストッパー用リング１１と他端部３との間の外周部９に所定深さの収納部１２と、前記収納部１２の径より小径の挿通孔１３を前記貫通孔６にかけて形成し、前記ストッパー用リング１１と前記収納部１２との間の外周部９に後方段部１４を形成し、前記収納部１２と前記他端部３との間の外周部９に前方段部１５を形成し、前記収納部１２と前記他端部３との間の前記小径状の貫通孔６よりも拡径せしめた拡径貫通孔６ａを形成する。
【００９６】
さらに内側カラーｂの実施形態は、前記外側カラーａの貫通孔６に貫通し、且外周部９に前記外側カラーａを構成する小径の挿通孔１３と合致する凹部１７を形成し、一端部１より他端部３にかけての内側部に所定の径の大径貫通孔１８と小径貫通孔１９とを連接状態に形成する。
【００９７】
またソケット駆動体ｃの実施形態は、前記内側カラーｂの大径貫通孔１８と前記小径貫通孔１９に夫々貫通するシャンク２１付駆動部２０と、前記駆動部の端部のシャンク２１と反対の端部に前記外側カラーａの前記ナット嵌挿部５に嵌挿する頭部２２とを一体にしたものである。
さらに前記内側カラーｂのナット嵌挿部５に前記頭部２２を嵌挿し、且前記内側カラーｂの大径貫通孔１８及び小径貫通孔１９に前記ソケット駆動体ｃを貫通せしめると共に、前記外側カラーａの外周部９に形成した所定深さの収納部１２にスプリング２３を嵌挿し、前記スプリング２３に頭部２５付ピン２４を挿入し、挿入せしめた前記頭部２５付ピン２４の先端部が内側カラーｂの外周部９に設けた凹部１７に挿入可能とし、一端部１に前記ストッパー用リング１１によって係止される係止部２６を設け、前記係止部２６が前記ストッパー用リング１１によって係止されている時に前記頭部２５付ピン２４を押圧する押圧部２７を有する中空状外側リング体ｄを前記外側カラーａに嵌挿する。
【００９８】
さらに前記外側リング体ｄの押圧部２７と前記外側カラーａの前方段部１５との間の空隙部２８内にスプリング２３を挿入せしめ、前記外側カラーａの収納部１２と他端部３との間に形成の拡径貫通孔６ａに内側カラーｂに捲廻のスプリング２９ａを嵌挿し、前記スプリング２９ａを前記内側カラーｂの外周部９に嵌着のリングカバー１１ａによって飛出を阻止せしめ組立てる。
【００９９】
さらに前記内側カラーｂのナット嵌挿部５は、嵌挿せしめたナット４等の角部を前記ナットキャッチスプリング７によって係止せしめる形態である。
【０１００】
また前記ソケット駆動体ｃの頭部２２は、前記ナット嵌挿部５の内側の形状と同形状とする。
【０１０１】
前記外側リング体ｄは、前記外側カラーａの他端部３方向にスライドすると、前記内側カラーｂと前記ソケット駆動体ｃは移動することなく、前記外側カラーａと前記外側リング体ｄとが一体となってスライドする構成である。
【０１０２】
本考案レンチ用ソケット工具Ａの第３実施例の形態につき説明する。
【０１０３】
この実施例は、請求項９〜１２記載の考案にして、且図９、１０に図示されている。
【０１０４】
以下第３実施例の具体的形態を示すと以下のとおりである。
【０１０５】
前記第３実施例の形態が、前記第１、第２実施例の形態と相違している点は、球体２５ａを使用することである。その他の構成部材は、第１、第２実施例の形態と異なっていない。
【０１０６】
前記第３実施例の形態の外側カラーａは、一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、且前記ナット嵌挿部５と前記他端部３との間に、前記ナット嵌挿部５の径より小径状の貫通孔６を設け、前記一端部１と他端部３間の所定部位の外周部９に突出状のカバー止め部１１ａを設け、前記他端部３の外周部９に突出状の係止部１４ａを形成せしめるものである。
【０１０７】
さらに内側カバーｅは、前記外側外側カラーａの小径状の貫通孔６ａと同形状の貫通孔６ａを有する支持壁部３３と、前記支持壁部３３を前方に延設して前記貫通孔６ａよりも若干拡径のスプリング３６を嵌挿せしめる拡径嵌挿部３４を設け、前記拡径嵌挿部３４の前方部に開口状の開口部３５を形成せしめるものである。
【０１０８】
また内側カラーｂは、前記外側カラーｂの前記貫通孔６と、前記カバーｅの貫通孔６ａとに貫通可能な外周部９を有し、且一端部１と他端部３とにかけて内側部に大径状の貫通孔１８と小径状の貫通孔１９とを接続せしめて形成し、前記外周部９の所定個所に凹部１７ａを設けるものである。
【０１０９】
さらにソケット駆動体ｃは、一端部１に前記外側カラーａのナット嵌挿部５に嵌挿可能な頭部２２と前記内側カラーｂの貫通孔１８、１９に挿入可能なシャンク２１付駆動部２０ａとを一体に形成するものである。
【０１１０】
また球体２５ａは、前記内側カラーｂの凹部１７ａに嵌挿可能な形状とする。
【０１１１】
つぎに外側リング体ｄは、一端部１に前記外側カラーｂの係止部１４ａに係止する内側方に突設する係止部２６ａを有し、且他端部３は開口部２６ｂを有し、前記係止部２６ａと前記開口部２６ｂとの間にスプリング２９ａを嵌挿する嵌挿部２８ａを有する形状とする。
【０１１２】
そして前記各構成部材を組立てるには、前記内側カラーｂに前記ソケット駆動体ｃを構成するソケット駆動部２０ａの頭部２２を前記外側カラーｂの嵌挿部５に嵌挿せしめ、且外側カラーａのカバー止め部１１ａと係止部１４ａとにスプリング２９ａを捲廻状態にして嵌挿し、前記外側カラーａの他端部３より前方部に所定の間隔を設けて内側カバーｅを前記内側カラーｂに嵌挿し、且前記内側カバーｅの拡径嵌挿部３４にスプリング２９ｂを前記内側カラーｂに捲廻状態にして嵌挿し、前記外側カラーｂと内側カラーｂとの間に球体２５ａを介在させ、前記球体２５ａの一部が前記内側カラーｂの凹部１７ａに嵌挿し、且前記内側カバーｅの拡径嵌挿部３４に嵌挿したスプリング２９ｂの飛出を阻止し、且外周が前記拡径嵌挿部３４の径より若干小さい抜止め部３６を前記内側カラーｂに取得し、前記外側リング体ｄの係止部２６ａが前記外側カラーａの係止部１１ａに係止し、且前記球体２５ａの飛出を阻止せしめるようにして外側リング体ｄを前記外側カラーａと前記内側カバーｅにかけて嵌挿せしめ組立てる。
【０１１３】
さらに、前記内側カラーａのナット嵌挿部５は、嵌挿せしめたナット４等の角部を前記ナットキャッチスプリング７によって係止せしめる形状とする。
【０１１４】
また、前記ソケット駆動体ｃの頭部２２は、前記ナット嵌挿部５の内側の形状と同形状とす。
【０１１５】
さらに、前記外側リング体は、前記内側カバーｅの方向にスライドすると、前記内側カラーｂと前記ソケット駆動体ｃは移動することなく、前記外側カラーａと前記外側リング体ｄと内側カバーｅとが一体となってスライドする形態である。
【０１１６】
本考案レンチ用ソケット工具Ａの第４実施例の形態につき説明する。
【０１１７】
この実施例は、請求項１３〜１６記載の考案にして、且図１１、１２に図示されている。
【０１１８】
以下第４実施例の具体的形態を示すと以下のとおりである。
【０１１９】
前記第４実施例の形態が、特に前記第３実施例の形態と相違している点は、頭部２２に凹部２５ｄを形成し、且バネ２５ｃを嵌挿する点である。
【０１２０】
前記第４実施例を構成する外側カラーａの形態について説明する。
【０１２１】
前記実施例の形態を構成する外側カラーａは、一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた形状である。
【０１２２】
さらに内側カラーｂは、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた形状である。
【０１２３】
また、ソケット駆動体ｃは、一端部１に前記ナット嵌挿部５に嵌挿可能な頭部２２と前記内側カラーｂの貫通孔１８、１９に嵌挿可能なシャンク２１付駆動体２０とを一体に形成する形状である。
【０１２４】
さらに、本考案は、前記スプリング２９ａの飛出を阻止するスプリング止めリング３６ａを前記外側カラーａの拡径嵌挿部３４内に嵌挿し、且他端部３の内側方の内側カラーｂに取着する。そして前記スプリング止めリング３６ａより所定の間隔を設けた内側カラーｂの外周部にストッパーリング３６を取着する。
【０１２５】
そして前記各構成部材を組立てるには、前記頭部２２の所定個所に別設する球体２５ａを押上げるバネ２５ｃを嵌挿する凹部２５ｄを形成し、前記外側カラーａの所定個所に前記球体２５ａの上方部を常時係止する係止部２５ｅを形成すると共に、前記内側カラーｂの貫通孔１８、１９内に前記ソケット駆動体ｃのシャンク２１付駆動部２０を嵌挿し、前記頭部２２の凹部２５ｄにバネ２５ｃを嵌挿し、且球体２５ａを挿入した状態で、前記外側カラーａの一端部１より前記内側カラーｂを前記内側突出部５ａに前記頭部２２が係止するまで嵌挿せしめ、前記球体２５ａを前記外側カラーａの係止部２５ｅを介して常時押圧し、前記外側カラーａの拡径嵌挿部３４ａに前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着せしめ組立てるものである。
【０１２６】
さらに、前記内側カラーｂのナット嵌挿部５は、嵌挿せしめたナット４等の角部を前記ナットキャッチスプリング７によって係止せしめる形状である。
【０１２７】
また、前記ソケット駆動体ｃの頭部２２は、前記ナット嵌挿部５の内側の形状と同形状とする。
【０１２８】
さらに、前記外側カラーａは、前記内側カバーの方向にスライドすると、前記内側カラーｂと前記ソケット駆動体ｃは移動することなく、前記外側カラーａだけがスライドする形態である。
【０１２９】
本考案レンチ用ソケット工具Ａの第５実施例の形態につき説明する。
【０１３０】
この実施例は、請求項１７〜２０記載の考案にして、且図１３、１４に図示されている。
【０１３１】
以下第５実施例の具体的形態を示すと以下のとおりである。
【０１３２】
以下第５実施例の形態が前記第４実施例の形態と相違している点は、内側突出部５ａを貫通する貫通孔５ｂを形成する。さらに内側カラーｂの外周部９ａに球体２５ａを嵌挿する凹部１７ａを形成し、前記球体２５ａを外側カラーａに形成した貫通孔５ａより挿入のバネ２５ｃによって押圧する点である。
【０１３３】
前記第５実施例を構成する外側カラーａの形態について説明する。
【０１３４】
前記実施例の形態を構成する外側カラーａは、一端部１に開口部２を有し、且他端部３方向に所定の長さの各種ナット４等が嵌挿可能なナット嵌挿部５を設け、前記開口部２付近のナット嵌挿部５の内側に形成した嵌挿孔８にナットキャッチスプリング７を嵌挿せしめ、一端部１と他端部３間の内側部に、前記ナット嵌挿部５の径よりも若干小さい径を有する内側突出部５ａを形成し、前記内側突出部５ａの径より若干大きい径を有するスプリング２９ａを挿入可能な拡径嵌挿部３４を形成し、他端部３は開口状の開口部３ｂを形成せしめた形状である。
【０１３５】
さらに内側カラーｂは、前記外側カラーａの内側突出部５ａに嵌挿可能な外径を有し、且開口状の一端部１ａから開口状の他端部１ｂにかけて径が異なる大径貫通孔１８と小径貫通孔１９とを形成せしめた形状である。
【０１３６】
そして内側カラーｂの一端部１ａ寄りの外周部９ａに凹部１７ａを形成する。
【０１３７】
さらに、前記外側カラーａの内側突出部５ａには、外側カラーａの外周部９から内側カラーｂの外周部９ａにかけて貫通する貫通孔５ｂを形成する。前記貫通孔５ｂには、前記凹部１７ａに嵌挿する球体２５ａを押圧するバネ２５ｃを嵌挿し、且前記バネ２５ｃが飛出しないような機構を設ける。
【０１３８】
前記外側カラーａと凹部１７ａとバネ２５ｃとの関係は、外側カラーａを他端部３方向にスライドをしないときは、球体２５ａが凹部１７ａの中に嵌挿し、前記球体２５ａをバネ２５ｃが押圧している。
【０１３９】
また、ソケット駆動体ｃは、一端部１に前記ナット嵌挿部５に嵌挿可能な頭部２２と前記内側カラーｂの貫通孔１８、１９に嵌挿可能なシャンク２１付駆動体２０とを一体に形成する形状である。
【０１４０】
さらに、本考案は、前記スプリング２９ａの飛出を阻止するスプリング止めリング３６ａを前記外側カラーａの拡径嵌挿部３４内に嵌挿し、且他端部３の内側方の内側カラーｂに執着する。そして前記スプリング止めリング３６ａより所定の間隔を設けた内側カラーｂの外周部にストッパーリング３６を取着する。
【０１４１】
そして前記各構成部材を組立てるには、前記内側カラーｂの貫通孔１８、１９内に前記ソケット駆動体ｃのシャンク２１付駆動部２０を嵌挿し、前記外側カラーａの拡径嵌挿部３４ａに前記内側カラーｂに捲廻のスプリング２９ａを嵌挿し、前記スプリング２９ａの飛出を阻止するスプリング止めリング３６ａを前記外側カラーａの拡径嵌挿部３４内に嵌挿し、且他端部３の内側方の内側カラーｂに取着し、前記スプリング止めリング３６ａより所定の間隔を設けた内側カラーｂの外周部にストッパーリング３６を取着せしめ組立てるものである。
【０１４２】
さらに、前記内側カラーｂのナット嵌挿部５は、嵌挿せしめたナット４等の角部を前記ナットキャッチスプリング７によって係止せしめる形状である。
【０１４３】
また、前記ソケット駆動体ｃの頭部２２は、前記ナット嵌挿部５の内側の形状と同形状とする。
【０１４４】
さらに、前記外側カラーａは、前記内側カバーの方向にスライドすると、前記内側カラーｂと前記ソケット駆動体ｃは移動することなく、前記外側カラーａだけがスライドする形態である。
【０１４５】
ｆは、バネ２５ｃの飛出を阻止した外側カラーａに嵌挿した外側カバーである。
【図面の簡単な説明】
【０１４６】
【図１】本考案レンチ用ソケット工具の正面図である。
【０１４７】
【図２】同工具の縦断正面図である。
【０１４８】
【図３】同工具が図２の状態から外側リング体をシャンクの方向にスライドしたときの状態を示す縦断正面図である。
【０１４９】
【図４】同工具においてボルトナットを嵌挿する前の状態を示す一部切欠縦断正面図である。
【０１５０】
【図５】同工具においてナットを嵌挿する前の状態を示す一部切欠縦断正面図である。
【０１５１】
【図６】同工具の第２実施例の正面図である。
【０１５２】
【図７】図７の工具の縦断正面図である。
【０１５３】
【図８】図７の工具の作動状態を示す縦断正面図である。
【０１５４】
【図９】同工具の第３実施例を示す縦断正面図である。
【０１５５】
【図１０】図９の工具の作動状態を示す縦断正面図である。
【０１５６】
【図１１】同工具の第４実施例を示す縦断正面図である。
【０１５７】
【図１２】図１１の工具の作動状態を示す縦断正面図である。
【０１５８】
【図１３】同工具の第５実施例を示す縦断正面図である。
【０１５９】
【図１４】図１３の工具の作動状態を示す縦断正面図である。
【符号の説明】
【０１６０】
Ａ        レンチ用ソケット工具
ａ        外側カラー
ｂ        内側カラー
ｃ        ソケット駆動体
ｄ        外側リング体
ｅ        内側カバー
ｆ        外側カバー
１、１ａ、１ｃ    一端部
１ｂ      他端部
２        開口部
３、３ａ  他端部
３ｂ      開口部
４        ナット
５        ナット嵌挿部
５ａ      内側突出部
５ｂ      貫通孔
６        貫通孔
６ａ      拡径貫通孔
７        ナットキャッチスプリング
８        嵌挿孔
９、９ａ  外周部
１０      凹部
１１      ストッパー用リング
１１ａ    リングカバー
１２      収納部
１３      貫通孔
１４      後方段部
１４ａ    係止部
１５      前方段部
１６      外周部
１７      凹部
１７ａ    凹部
１８      大径貫通孔
１９      小径貫通孔
２０、２０ａ  シャンク付駆動部
２１      シャンク
２２、２２ａ  頭部
２３      スプリング
２４      ピン
２５      頭部
２５ａ    球体
２５ｃ    バネ
２５ｄ    凹部
２５ｅ    係止部
２６、２６ａ  係止部
２６ｂ    開口部
２７      押圧部
２８      空隙部
２９      コイルスプリング
２９ａ    スプリング
３０      間隙部
３１      ボルト
３２      頭部
３４      拡径嵌挿部
３５      開口部
３６      ストッパーリング
３６ａ    スプリング止めリング
【図１】
0003128986.tif 000003
【図２】
0003128986.tif 000004
【図３】
0003128986.tif 000005
【図４】
0003128986.tif 000006
【図５】
0003128986.tif 000007
【図６】
0003128986.tif 000008
【図７】
0003128986.tif 000009
【図８】
0003128986.tif 000010
【図９】
0003128986.tif 000011
【図１０】
0003128986.tif 000012
【図１１】
0003128986.tif 000013
【図１２】
0003128986.tif 000014
【図１３】
0003128986.tif 000015
【図１４】
0003128986.tif 000016